(57)【要約】      （修正有）【課題】多くの対象の植木鉢をその都度用いることができ植木鉢を保持した状態で強風下でも耐えうる。【解決手段】植木鉢の大きさによって円形蓋を取替え可能な被せ蓋からなる蓋部６と、中心部に逆円錐状の中空部を有する本体部２とから構成される植木鉢安定器具１を用い、中空部に水を貯めて重しとすることによって植裁を植えた植木鉢を安定的に保持可能であり蓋部は、複数の円形盤が重なって１個の蓋を形成する構造であり、使用する植木鉢の大きさによって外径が合致するように被せ蓋の円形盤で調整可能である。【選択図】図１
0003117949.tif 000002
【実用新案登録請求の範囲】
【請求項１】
中心部が逆円錐状に空間部を形成する本体部と、該本体部の内側に設置可能な少なくとも１以上の被せ蓋からなる蓋部とから成る植木安定器具であって、
前記蓋部は、複数の円形盤が重なって１個の蓋を形成する構造であり、使用する植木鉢の大きさによって外径が合致するように被せ蓋の円形盤で調整可能なことを特徴とする植木鉢安定器具。
【請求項２】
前記中心部が逆円錐状に空間部を形成する本体部は、内部に空洞を有する構造であって上部に液体流し込み口と下部に排水口とを設けてあることを特徴とする請求項１記載の植木鉢安定器具。
【請求項３】
前記中心部が逆円錐状に空間部を形成する本体部は、上部外径より底部外径が大きいことを特徴とする請求項１〜２記載の植木鉢安定器具。
【考案の詳細な説明】
【技術分野】
【０００１】
本考案は、植木鉢安定器具に関し、さらに詳しくは、中心部が逆円錐状に空間部を形成する本体部と、該本体部の内側に設けた窪み部に設置可能な少なくとも１以上の被せ蓋とから成る植木安定器具である。
【背景技術】
【０００２】
鉢本体が二重構造となっているものとして実用新案第３０５０１５１号「植物の吸う水が貯めておける植木鉢」は、内側の鉢と外側の鉢との間に水を貯めておき、その水を内側の下に差し込んであるスポンジで吸収することができる植木鉢を開示している。
【０００３】
また実開平６−４１４４５号「植木鉢ユニット」には、容器内の水を吸い上げて、前記容器の上方に位置する鉢部の小孔を介して、前記鉢部の用土に前記水を供給する吸水手段を有する植木鉢ユニットが開示されており、植木鉢の下部に水を入れる容器がおかれることを示している。
【考案の開示】
【考案が解決しようとする課題】
【０００４】
上記のように植木鉢の下に水を貯める容器や他の鉢を置いて重ねることは公知であるが、この場合、植木鉢に水を供給することを目的とするために外部容器又は鉢の安定製については考慮されていなかった。
【０００５】
一方で、植木鉢として使用される鉢は、植える植裁の大きさに合わせて選択されるために自ずからサイズが異なるという制限があり、上記のように単に他の容器と重ねる場合にも全ての鉢が使用できるものではなかった。
【課題を解決するための手段】
【０００６】
本考案者は、係る課題を解決するために鋭意研究したところ、植木鉢の大きさによって円形蓋を取替え可能な被せ蓋からなる蓋部を、中心部に逆円錐状の中空部を有する本体部とする植木安定器具を用いることによって植裁を植えた植木鉢を安定的に保持可能なことを見いだし、本考案に係る植木安定器具を提供することができた。
【０００７】
すなわち本考案の第一は、中心部が逆円錐状に空間部を形成する本体部と、該本体部の内側に設置可能な少なくとも１以上の被せ蓋からなる蓋部とから成る植木安定器具であって、前記蓋部は、複数の円形盤が重なって１個の蓋を形成する構造であり、使用する植木鉢の大きさによって外径が合致するように被せ蓋の円形盤で調整可能なことを特徴とする植木鉢安定器具である。
【０００８】
本考案の第二は、前記中心部が逆円錐状に空間部を形成する本体部は、内部に空洞を有する構造であって上部に液体流し込み口と下部に排水口とを設けてあることを特徴とする請求項１記載の植木鉢安定器具である。
【０００９】
本考案の第三は、前記本体部の中心部が逆円錐状に空間部を形成する本体部は、上部外径より底部外径が大きいことを特徴とする請求項１〜２記載の植木鉢安定器具である。
【考案の効果】
【００１０】
本考案の植木鉢安定器具は、使用する植木鉢の大きさに合わせて被せ蓋を取替えることができるために、多くの対象の植木鉢をその都度用いることができるという効果を有する。
【００１１】
また、本考案の植木鉢安定器具は、本体部の空洞部に水を貯めることによって重しとするために、植木鉢を保持した状態で強風下でも耐えうるものである。
【００１２】
さらに、この植木鉢安定器具は、不使用時には本体部の水を抜くことによって、本体部自体の軽量差から力の無いものでも容易に移動可能なため、倉庫の隅等に移動が容易となっている。
【考案を実施するための最良の形態】
【００１３】
以下、図面を参照に本考案の詳細を説明するが、本考案はこれらに限定されるものではない。
【実施例１】
【００１４】
図１は、本考案の植木鉢安定器具１に、通常の植木鉢を重ねて用いた状態を説明する斜視図である。この場合、植木鉢（図示せず）に植えられた植裁７は、植木鉢と共に植木鉢安定器具１の中心部に設けられた空間部に蓋部６を介して保持されている。
【００１５】
図２は、本考案の植木鉢安定器具１の断面図である。本体部の中心部には逆円錐状に空間部８が形成され、本体部内部には空洞部９を有する構造であって上部に液体流し込み口と下部に排水口とを設けてあり、前記空洞部には水が貯水されて重しの役目を担っている。
【００１６】
図３ａ，ｂは、本考案の植木鉢安定器具の空間部９を形成する内壁部１０に設置される上部被せ蓋１３と下部被せ蓋１４の平面図である。これらの蓋は先ず先に下部被せ蓋１４を内壁部にの下方に設置し、次いで上部被せ蓋１３を内壁部１０に沿って設置する。
【００１７】
次いで、使用する植木鉢の外径に合わせてそれぞれの円形形状の被せ蓋を選択して、その上から植木鉢を挿通した上で、植木鉢を固定するようにしている。
【００１８】
なお、上記内壁部１０の任意箇所に、前記上部被せ蓋１３と下部被せ蓋１４との外径サイズに併せて棚部１１、１２を設けて、蓋部の固定がよりし易くすることができる。
【００１９】
図４は、本考案の植木鉢安定器具１の別な形態を示す斜視図である。このような円形形状の器具本体を用いる場合には、円形状蓋部１６の外径も同様に円形形状とするとよい。
【００２０】
本実施例の植木鉢安定器具１の材質としては、硬質プラスチック素材を用いたが、他の材料であっても構わない。
【図面の簡単な説明】
【００２１】
【図１】本考案の植木鉢安定器具に、通常の植木鉢を重ねて用いた状態を説明する斜視図である。
【図２】本考案の植木鉢安定器具の断面図である。
【図３ａ】本考案の植木鉢安定器具に用いる蓋部の平面図である。
【図３ｂ】本考案の植木鉢安定器具に用いる蓋部の平面図である。
【図４】本考案の植木鉢安定器具１の別な形態を示す斜視図である。
【図５】本考案の植木鉢安定器具に用いる別な形状の蓋部の平面図である。
【符号の説明】
【００２２】
１・・・植木鉢安定器具
２・・・本体部
３・・・供給口
４・・・排水口
５・・・把持部
６・・・蓋部
７・・・植裁
８・・・空間部
９・・・空洞部
１０・・内壁部
１１・・上部棚部
１２・・下部棚部
１３・・上部被せ蓋
１４・・下部被せ蓋
１５・・把持部
１６・・円形状蓋部
１７・・把持部
【図１】
0003117949.tif 000003
【図２】
0003117949.tif 000004
【図３ａ】
0003117949.tif 000005
【図３ｂ】
0003117949.tif 000006
【図４】
0003117949.tif 000007
【図５】
0003117949.tif 000008